(57)【要約】【課題】高速駆動される加工歯を有するバンドソーやグラインダーなどを用いる作業時に作業者の手が巻き込まれる危険が少なく且つ親指の切傷を防止できる親指切傷防止手袋を提供すること。【解決手段】親指を被覆する親指被覆部２１を有し且つ親指以外の四指が露出するように親指以外の四指の各被覆部２３における上端に開口２２を形成した四指露出手袋体２と、親指被覆部２１内に嵌装され高速駆動される加工歯に耐え得る強度を有し親指の先端から少なくとも第１関節までの範囲を被覆可能な親指サック３とを備える構成とする。【選択図】    図１
0003109228.tif 000002
【実用新案登録請求の範囲】
【請求項１】
親指を被覆する親指被覆部を有し且つ親指以外の四指が露出するように親指以外の四指の各被覆部における上端に開口を形成した四指露出手袋体と、前記親指被覆部内に嵌装され高速駆動される加工歯に耐え得る強度を有し親指の先端から少なくとも第１関節までの範囲を被覆可能な親指サックとを備えることを特徴とする親指切傷防止手袋。
【請求項２】
前記開口は親指以外の四指の第２関節よりも下方位置に形成されてなる請求項１記載の親指切傷防止手袋。
【請求項３】
前記親指サックは有蓋略円筒状体であり、該有蓋略円筒状体の外表面における少なくとも上半部から底部にかけての母線が連続した一直線であると共に該有蓋円筒状体の中心軸と平行とされてなる請求項１または請求項２記載の親指切傷防止手袋。
【請求項４】
前記有蓋略円筒状体における蓋部分の内側にクッション材が設けられてなる請求項３記載の親指切傷防止手袋。
【請求項５】
前記四指露出手袋体はゴム系または合成樹脂系の材質からなる請求項１から請求項４のいずれかに記載の親指切傷防止手袋。
【考案の詳細な説明】
【技術分野】
【０００１】
本考案は、高速駆動される加工歯を備えた例えばバンドソーやグラインダーなどを用いる作業の安全性を確保するために着用される手袋に関し、特に親指の切傷を防止できる手袋に関する。
【背景技術】
【０００２】
図５は被加工材Ｋをバンドソーで切断する従来の作業要領を示す平面図である。被加工材Ｋをバンドソーで切断する場合、図５のように、加工テーブル４１に載置された被加工材Ｋの両端をそれぞれ左右の手で保持しながら、水平軸周りの同一方向に高速回転する２つのプーリ（図示せず）間に巻架された加工歯（無端鋸歯）４２を被加工材Ｋの切断線４３に押し付けるようにして、矢印Ｘ１方向に移動させる。
【０００３】
この作業を行うに際し、被加工材Ｋの幅Ｌが広い場合には怪我をすることは比較的少ないが、被加工材Ｋの幅Ｌが狭い場合やサイズが小さい場合には特に親指が加工歯４２に接近するため、親指を切傷してしまう危険がある。同様な危険はグラインダーでの研削作業においても伴う。そこで、この種の作業時に、例えば特開２００１−８１６１４号公報、特開２００３−２７３１４号公報、特開２００４−１３１８７１号公報に記載のような金属メッシュ製の作業用手袋や金属鎖を内部に備えた作業用手袋を着用することにより作業者の手を保護する方法が考えられる。
【０００４】
【特許文献１】特開２００１−８１６１４号公報
【特許文献２】特開２００３−２７３１４号公報
【特許文献３】特開２００４−１３１８７１号公報
【考案の開示】
【考案が解決しようとする課題】
【０００５】
しかしながら、上記従来の作業用手袋を着用して、高速駆動される加工歯４２にいずれかの指の被覆部が接触した場合、金属鎖が露出したり金属メッシュが破れたりして、これらの部分が加工歯４２の歯先等に引っ掛かることにより、作業者の手が巻き込まれる危険があり、適切な保護手段とはいえなかった。本考案はこのような問題に鑑みてなされたものであり、高速駆動される加工歯を有するバンドソーやグラインダーなどを用いる作業時に作業者の手が巻き込まれる危険が少なく且つ親指の切傷を防止できる親指切傷防止手袋を提供することを目的とする。
【課題を解決するための手段】
【０００６】
上述の課題を解決するために、請求項１の親指切傷防止手袋は、親指を被覆する親指被覆部２１を有し且つ親指以外の四指が露出するように親指以外の四指の各被覆部２３における上端に開口２２を形成した四指露出手袋体２と、前記親指被覆部２１内に嵌装され高速駆動される加工歯４２に耐え得る強度を有し親指の先端から少なくとも第１関節Ｊ１までの範囲を被覆可能な親指サック３とを備える。
【０００７】
請求項１の親指切傷防止手袋によると、高速駆動される加工歯４２に親指部分が何かの拍子で接触した場合、まず親指被覆部２１が破れ、その後親指サック３に当たる。親指サック３は高速駆動される加工歯４２に耐え得る強度を有するので、作業者の親指は加工歯４２により切傷を負わずに済む。また、親指以外の四指をそれそれ全体的に覆う被覆部を設ける場合と比べて、該被覆部が巻き込まれることにより手が巻き込まれてしまう危険もない。
【０００８】
請求項２の親指切傷防止手袋では、前記開口２２は親指以外の四指の第２関節Ｊ２よりも下方位置に形成されてなる。請求項２の親指切傷防止手袋によると、親指以外の四指は、それらのほとんどの部分が露出するので、種々の作業を行うに際し操作性が良い。
【０００９】
請求項３の親指切傷防止手袋では、前記親指サック３は有蓋略円筒状体であり、該有蓋略円筒状体の外表面における少なくとも上半部から底部にかけての母線３３が連続した一直線であると共に該有蓋円筒状体の中心軸３４と平行とされてなる。
【００１０】
請求項３の親指切傷防止手袋によると、作業テーブル４１の載置面上に親指を寝かせた状態で使用する場合、図４（Ａ）のように、親指サック３の母線３３が広範囲に亘って作業テーブル４１の載置面に当接する。このため、作業テーブル４１の載置面上での安定性が良く、高速駆動される加工歯４２との接触により親指サック３に衝撃的な力が加わった場合であっても、親指サック３が作業テーブル４１の載置面との接触部を軸として瞬時に例えば矢印Ｘ２方向に回動したり、手が衝撃によって跳ね返えされたりすることが防止される。
【００１１】
請求項４の親指切傷防止手袋では、前記有蓋略円筒状体における蓋部分３１の内側にクッション材３２が設けられてなる。請求項４の親指切傷防止手袋によると、高速駆動される加工歯４２との接触時の衝撃により親指の爪先に傷を負うことも防止される。また、被加工材Ｋの切断や運搬に際し、爪先に不快感を伴わない。
【００１２】
請求項５の親指切傷防止手袋では、前記四指露出手袋体２はゴム系または合成樹脂系の材質からなる。請求項５の親指切傷防止手袋によると、布製手袋の糸材や金属メッシュ手袋の金属メッシュのほつれなどが要因となって、高速駆動される加工歯に手が巻き込まれる危険がない。
【考案の効果】
【００１３】
本考案によると、高速駆動される加工歯を有するバンドソーやグラインダーなどを用いる作業時に作業者の手が巻き込まれる危険が少なく且つ親指の切傷を防止できる。
【考案を実施するための最良の形態】
【００１４】
図１は本考案に係る親指切傷防止手袋１の構成図である。図１は右手用を示し、左手用は右手用と対象な形状である。図２は親指サック３の正面断面図である。
【００１５】
図１に示すように、親指切傷防止手袋１は、四指露出手袋体２と親指サック３からなる。四指露出手袋体２は、ゴム系または合成樹脂系の材質からなり、親指を被覆する親指被覆部２１を有する。また、親指以外の四指の各被覆部２３における上端に開口２２が形成される。開口２２は親指以外の四指の第２関節Ｊ２よりも下方位置に形成される。従って親指以外の四指は、それらのほとんどの部分が露出する。
【００１６】
図２に示すように、親指サック３は、親指の先端から少なくとも第１関節Ｊ１（図３参照）までの範囲を被覆可能な有蓋略円筒状体であり、四指露出手袋体２の親指被覆部２１内に嵌装可能なサイズである。その内径は、大人の親指が余裕をもって挿入できる程度とされる。その外表面における上半部から底部にかけての母線３３は、連続した一直線であると共に中心軸３４と平行である。そして、蓋部分３１の内側にはクッション材３２が接着剤等により貼設されている。クッション材３２は、シリコンゴム等のゴム状弾性を示す材料が好ましい。
【００１７】
親指サック３は、高速駆動される加工歯に耐え得るように、硬度が５５以上の例えば調質鋼等の金属、セラミックス、プラスチックなどを材質としその肉厚が０．５ｍｍから２ｍｍ程度であることが好ましい。なお、親指サック３をセラミックスまたはプラスチックで製作した場合は、軽量化を図ることができるが、万が一割れて破片が内部に飛散する場合に備えて内側表面全体に保護シートを設けておくことが好ましい。
【００１８】
次に、以上のように構成された親指切傷防止手袋１の作用効果について説明する。図３は親指切傷防止手袋１を右手に着用した状態を示す図である。図４は親指サック３の安定性を説明するための図である。
【００１９】
図３に示すように、親指切傷防止手袋１の親指サック３は、親指被覆部２１内に嵌装され、親指の先端から少なくとも第１関節Ｊ１までの範囲を被覆する。このため、図５のような作業時に、高速駆動される加工歯４２に親指部分が何かの拍子で接触した場合、まず親指被覆部２１が破れ、その後加工歯４２が親指サック３に当たる。親指サック３は高速駆動される加工歯４２に耐え得る強度を有するので、作業者の親指は加工歯４２により切傷を負わずに済む。なお、親指サック３の蓋部３１の内側にクッション材３２が設けられているため、高速駆動される加工歯４２との接触時の衝撃により親指の爪先に傷を負うことも防止される。また、被加工材Ｋの切断や運搬に際し、爪先に不快感を伴わない。そして、親指被覆部２１が親指サック３を被覆する形になるため、掴握時の滑りが防止されると共に親指サック３の抜け落ちがない。
【００２０】
親指サック３は、その外表面における少なくとも上半部から底部にかけての母線３３が連続した一直線であると共に該有蓋円筒状体の中心軸３４と平行であるので、図５のように、作業テーブル４１の載置面上に親指を寝かせた状態で使用する場合、図４（Ａ）のように、親指サック３の母線３３が広範囲に亘って作業テーブル４１の載置面に当接する。このため、作業テーブル４１の載置面上での安定性が良く、高速駆動される加工歯４２との接触により親指サック３に衝撃的な力が加わった場合であっても、親指サック３が親指サック３と作業テーブル４１の載置面との接触部を軸として瞬時に回動したり、手が衝撃によって跳ね返えされたりすることが防止される。
【００２１】
これに対して、図４（Ｂ）のように母線３３Ｂが中心軸と平行でない親指サック３Ｂである場合や、図４（Ｃ）のように母線３３Ｂが一直線でなく段差がある親指サック３Ｃである場合には、衝撃により例えば作業テーブル４１の載置面上で矢印Ｘ２方向に回動するなど安定性が悪く危険を伴う。
【００２２】
四指露出手袋体２は、ゴム系または合成樹脂系の材質からなるため、布製手袋の糸材や金属メッシュ手袋の金属メッシュのほつれなどが要因となって、高速駆動される加工歯に手が巻き込まれる危険がない。また、最も負傷しやすい親指を重点的に保護し、親指以外の四指は、それらのほとんどの部分が露出するので、種々の作業を行うに際し操作性が良い。また、親指以外の四指をそれそれ全体的に覆う被覆部を設ける場合と比べて、該被覆部が巻き込まれることにより手が巻き込まれてしまう危険もない。
【００２３】
親指切傷防止手袋１は、市販の例えばゴム製またはビニール製の手袋における親指以外の被覆部を切り落とし、２つの親指サック３を製作するだけの簡単且つ低コストの構成で上記優れた効果を奏する。
【００２４】
なお、本考案は上述の実施形態に限定されない。即ち、四指露出手袋体２の形状、親指サック３の形状、材質、肉厚などは本考案の要旨に沿って適宜変更できる。
【図面の簡単な説明】
【００２５】
【図１】本考案に係る親指切傷防止手袋の構成図である。
【図２】親指サックの正面断面図である。
【図３】親指切傷防止手袋を右手に装着した状態を示す図である。
【図４】親指サックの安定性を説明するための図である。
【図５】被加工材をバンドソーで切断する従来の作業要領を示す平面図である。
【符号の説明】
【００２６】
１  親指切傷防止手袋
２  四指露出手袋体
３  親指サック
２１  親指被覆部
２２  開口
３１  蓋部分
３２  クッション材
３３  母線
３４  中心軸
４２  加工歯
Ｊ１  第１関節
Ｊ２  第２関節
【図１】
0003109228.tif 000003
【図２】
0003109228.tif 000004
【図３】
0003109228.tif 000005
【図４】
0003109228.tif 000006
【図５】
0003109228.tif 000007